【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告することを含み、
ここで、端末が、複数の異なるバージョンのネットワーク側機器を集約し、
よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る、パワーヘッドルーム報告処理方法。
【請求項２】
前記ＰＨＲ  ＭＡＣ  ＣＥには、前記端末のために設定又は活性化されたすべてのセルのＰＨ情報を含む、請求項１に記載の方法。
【請求項３】
マルチエントリＭｕｌｔｉｐｌｅ  ｅｎｔｒｙ  ＰＨＲ  ＭＡＣ  ＣＥについて、それぞれ異なる論理チャネル識別子ＬＣＩＤを用いて、異なる長さの成分搬送波ＣＣビットマップｂｉｔｍａｐを有するＭｕｌｔｉｐｌｅ  ｅｎｔｒｙ  ＰＨＲ  ＭＡＣ  ＣＥを表す、請求項２に記載の方法。
【請求項４】
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項１に記載の方法。
【請求項５】
前記ターゲットネットワーク側機器により識別可能なセルは、ターゲットネットワーク側機器が終端のために設定されたセル、又は端末のために設定且つ活性化されたセルを含む、請求項４に記載の方法。
【請求項６】
前記ターゲットネットワーク側機器が前記端末のマスタノードＭＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含み、
又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記端末に属するプライマリサービングセル及び前記ターゲットネットワーク側機器に属するサービングセルのＰＨ情報のみを含み、
又は
前記ターゲットネットワーク側機器が前記端末のセカンダリノードＳＮである場合、前記ＰＨＲ  ＭＡＣ  ＣＥには、前記端末のために設定又は活性化されたすべてのセルのうち、前記ターゲットネットワーク側機器に属するサービングセルのＰＨ情報のみを含む、請求項４に記載の方法。
【請求項７】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項１〜６のいずれか一項に記載の方法。
【請求項８】
１つ又は複数のセルのパワーヘッドルームＰＨ情報が含まれるパワーヘッドルーム媒体アクセス制御ユニットＰＨＲ  ＭＡＣ  ＣＥをターゲットネットワーク側機器に報告するための報告モジュールを含み、
ここで、端末が、複数の異なるバージョンのネットワーク側機器を集約し、
よって、前記ターゲットネットワーク側機器が、前記ＰＨＲ  ＭＡＣ  ＣＥを受信した後に、前記ＰＨＲ  ＭＡＣ  ＣＥから、前記ターゲットネットワーク側機器により識別可能なセルに対応するＰＨ情報を読み取る、端末。
【請求項９】
前記端末が複数の異なるバージョンのネットワーク側機器を集約することは、
前記端末が前記複数のネットワーク側機器を集約することを含み、
ここで、前記複数のネットワーク側機器に用いられる無線アクセス技術ＲＡＴのタイプが異なり、又は、前記複数のネットワーク側機器に用いられるＲＡＴのタイプが同じであり、且つ前記複数のネットワーク側機器に用いられるプロトコルのバージョンが異なる、請求項８に記載の端末。
【請求項１０】
ターゲットネットワーク側機器が、１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末から受信するステップと、
前記ＰＨＲ  ＭＡＣ  ＣＥから、前記ターゲットネットワーク側機器により識別可能なセルに対応するＰＨ情報を読み取るステップとを含む、パワーヘッドルーム報告処理方法。
【請求項１１】
前記ＰＨＲ  ＭＡＣ  ＣＥには、前記端末のために設定又は活性化されたすべてのセルのＰＨ情報を含み、
又は
前記ＰＨＲ  ＭＡＣ  ＣＥには、前記端末のために設定又は活性化されたすべてのセルのうち、前記ターゲットネットワーク側機器により識別可能なセルのＰＨ情報のみを含む、請求項１０に記載の方法。
【請求項１２】
前記ＰＨＲ  ＭＡＣ  ＣＥにおける前記ターゲットネットワーク側機器により識別不可能なセルに対応するＰＨ情報を無視するステップを更に含む、請求項１１に記載の方法。
【請求項１３】
前記ＰＨＲ  ＭＡＣ  ＣＥから、前記ターゲットネットワーク側機器により識別可能なセルに対応するＰＨ情報を読み取るステップは、
前記ＰＨＲ  ＭＡＣ  ＣＥにおける成分搬送波ＣＣビットマップｂｉｔｍａｐの長さを確定するステップと、
ＣＣ  ｂｉｔｍａｐ長に基づいて、ＣＣ  ｂｉｔｍａｐにおける各ビットの値を読み取り、各ビットの値に基づいて、前記ＰＨＲ  ＭＡＣ  ＣＥから、前記ターゲットネットワーク側機器により識別可能なセルに対応するＰＨ情報を読み取るステップとを含む、請求項１１に記載の方法。
【請求項１４】
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応する媒体アクセス制御ＭＡＣサブヘッダに含まれる論理チャネル識別子ＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、
該当する場合、前記ＰＨＲ  ＭＡＣ  ＣＥに対し、ＣＣ  ｂｉｔｍａｐ長をそれぞれ１バイト、４バイトとしてＣＣ  ｂｉｔｍａｐ長のブラインド検出を行い、ブラインド検出結果に基づいて前記ＣＣ  ｂｉｔｍａｐ長を確定するステップとを含み、
又は
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応するＭＡＣサブヘッダに含まれるＬＣＩＤに基づいて、前記ＰＨＲ  ＭＡＣ  ＣＥがマルチエントリＭｕｌｔｉｐｌｅ  ｅｎｔｒｙ  ＰＨＲ  ＭＡＣ  ＣＥに該当するか否かを確定するステップと、
該当する場合、前記ターゲットネットワーク側機器が前記端末のために設定したセル番号、及び予め取得済みの、前記端末により集約された他のネットワーク側機器が前記端末のために設定したセル番号、又は他のネットワーク側機器が前記端末のために設定したセル番号の最大値に基づいて、前記端末の最大セル番号を確定するステップと、
前記端末の最大セル番号に基づいて前記ＰＨＲ  ＭＡＣ  ＣＥにおけるＣＣ  ｂｉｔｍａｐ長を確定するステップとを含み、
又は
前記ＰＨＲ  ＭＡＣ  ＣＥにおける成分搬送波ＣＣビットマップｂｉｔｍａｐの長さを確定するステップは、
受信したＰＨＲ  ＭＡＣ  ＣＥに対応するＭＡＣサブヘッダに含まれるＬＣＩＤに基づいて、前記ＰＨＲ  ＭＡＣ  ＣＥにおけるＣＣ  ｂｉｔｍａｐ長を確定することを含み、
ここで、Ｍｕｌｔｉｐｌｅ  ｅｎｔｒｙ  ＰＨＲ  ＭＡＣ  ＣＥについて、それぞれ異なるＬＣＩＤを用いて、異なる長さのＣＣ  ｂｉｔｍａｐを有するＭｕｌｔｉｐｌｅ  ｅｎｔｒｙ  ＰＨＲ  ＭＡＣ  ＣＥを表す、請求項１３に記載の方法。
【請求項１５】
１つ又は複数のセルのパワーヘッドルームＰＨ情報が含まれるパワーヘッドルーム媒体アクセス制御ユニットＰＨＲ  ＭＡＣ  ＣＥを、複数の異なるバージョンのネットワーク側機器を集約する端末からターゲットネットワーク側機器が受信するための受信モジュールと、
前記ＰＨＲ  ＭＡＣ  ＣＥから、前記ターゲットネットワーク側機器により識別可能なセルに対応するＰＨ情報を読み取るための読み取りモジュールとを含む、ネットワーク側機器。